(57)【要約】【課題】情報端末装置の電源を入れたままの状態で、タッチパネルと同時に操作スイッチの汚れを拭き取ることができない。【解決手段】演算処理部４は、掃除モード選択４１の入力信号があったときには、タイマー手段７による計時を開始するとともに、第１操作部５ａ、５ｂ、５ｃと第２操作部３からの入力信号を無効とし、タイマー手段７が所定時間に到達した時点で、前記第１操作部５ａ、５ｂ、５ｃと第２操作部３からの入力信号を有効にする。【選択図】図１
2007200095.tif 000002
【特許請求の範囲】
【請求項１】
器具の動作を選択指示する第１操作部と、器具の状態を表示する表示手段と該表示手段に具備され前記第１操作部とは異なる動作を選択指示するタッチパネルで構成した第２操作部と、前記第１操作部及び第２操作部からの入力信号を処理する演算処理部と、タイマー手段とを備え、前記演算処理部への入力信号の受付を禁止する掃除モード選択手段を有し、掃除モードが選択されたとき、前記タイマー手段を起動させ前記第１操作部及び第２操作部からの入力信号を無効とし、前記タイマー手段が所定時間を計時した時点で入力信号を有効とする情報端末装置。
【請求項２】
第１操作部及び第２操作部は平面的な形状とし、前記第１操作部と前記第２操作部が同一平面状に配されたことを特徴とする請求項１記載の情報端末装置。
【請求項３】
演算処理部はタイマー手段が所定時間を計時した時点で第１操作部と第２操作部からの入力信号を有効にした後、タイマーを初期化することを特徴とする請求項１または２記載の情報端末装置。
【請求項４】
演算処理部は、タイマーが計時中は、表示手段に第１操作部と第２操作部による入力が無効である旨を表示することを特徴とする請求項１から３のいずれか１項記載の情報端末装置。
【請求項５】
演算処理部は、タイマーが計時中は、表示手段にタイマーの計時開始からの経過時間を数値で表示することを特徴とする請求項１から４のいずれか１項記載の情報端末装置。
【請求項６】
演算処理部は、タイマーが計時中は、表示手段にタイマーの計時開始からの経過時間を画像情報で表示することを特徴とする請求項１から４のいずれか１項記載の情報端末装置。
【請求項７】
演算処理部は、タイマーが計時中は、表示手段にタイマーの計時完了までの残り時間を数値で表示することを特徴とする請求項１から４のいずれか１項記載の情報端末装置。
【請求項８】
演算処理部は、タイマーが計時中は、表示手段にタイマーの計時完了までの残り時間を画像情報で表示することを特徴とする請求項１から４のいずれか１項記載の情報端末装置。
【請求項９】
情報を記憶する記憶手段を有し、前記記憶手段には第１操作部と第２操作部からの入力信号を無効にするタイマー設定時間情報を記憶し、演算処理部は記憶手段からタイマー設定時間情報を読み出して、これをタイマーに設定して計時を開始することを特徴とする請求項１から８のいずれか１項記載の情報端末装置。
【請求項１０】
第２操作部には、掃除モード実行時間設定モードを選択可能なメニュー画面設定手段を有し、前記実行時間設定モードで設定されたタイマー設定時間情報を変更して記憶手段に保存することを特徴とする請求項９記載の情報端末装置。
【請求項１１】
掃除モード選択手段に優先して作用する復旧用スイッチを有し、演算処理部は前記復旧用スイッチからの入力信号は常に有効と判断し、前記第１操作部と第２操作部からの入力信号を無効と判断している間に、前記復旧用スイッチの信号の入力があった場合には、前記演算処理部はこの入力信号を解釈して、前記第１操作部前記第２操作部からの入力信号を有効と判断するように切り替えることを特徴とする請求項１から１０のいずれか１項記載の情報端末装置。
【請求項１２】
第１操作部と第２操作部からの入力信号を無効と判断している間に、復旧用スイッチの信
号の入力があった場合には、演算処理部はこの入力信号を解釈して、前記第１操作部と前記第２操作部からの入力信号を有効と判断するように切り替えた後に、タイマーを初期化することを特徴とする請求項１１記載の情報端末装置。
【発明の詳細な説明】
【技術分野】
【０００１】
本発明は、操作スイッチとタッチパネルを備えた表示手段を有する情報端末装置に関する。
【背景技術】
【０００２】
従来より、情報出力手段としての表示手段に入力手段としてのタッチパネルが取り付けられた構成の情報端末装置が知られている。このような情報端末装置では、表示手段に複数の操作キーを表示し、表示手段の上に配されたタッチパネルを利用者が押下することにより、押下された操作キーに応じた処理が行われる。利用者は表示と操作キーが一体化しているので、直感的に操作ができ、操作性に優れている。しかし、タッチパネルの操作面には利用者が指で直接接触するので、利用者の指紋などにより汚れやすく、頻繁にタッチパネルの操作面の汚れを拭き取る必要がある。
【０００３】
このような従来の情報端末装置においては、情報端末装置の電源を入れたままの状態で、所定時間タッチパネルからの入力信号を無効化処理し、その間に利用者がタッチパネルの汚れを拭き取ることができるようにし、汚れの拭き取り作業中のタッチパネルへの接触による情報端末装置の誤動作を防止する構成になっている（例えば、特許文献１参照）。
【特許文献１】特開２０００−１９４５０４号公報
【発明の開示】
【発明が解決しようとする課題】
【０００４】
情報端末装置において、操作系としてタッチパネル以外に、静電スイッチのような平面式の操作スイッチがタッチパネルと併用される場合があり、この場合には、タッチパネルと同様に操作スイッチも、利用者の指で汚れやすく、汚れを拭き取る必要がある。しかしながら、従来の情報端末装置では、情報端末装置の電源を入れたままの状態で、タッチパネルと同時に操作スイッチの汚れを拭き取ることはできないという課題があった。
【課題を解決するための手段】
【０００５】
上記の課題を解決するため、本発明の情報端末装置では、器具の動作を選択指示する第１操作部と、器具の状態を表示する表示手段と該表示手段に具備され前記第１操作部とは異なる動作を選択指示するタッチパネルで構成した第２操作部と、前記第１操作部及び第２操作部からの入力信号を処理する演算処理部と、タイマー手段とを備え、前記演算処理部への入力信号の受付を禁止する掃除モード選択手段を有し、掃除モードが選択されたとき、前記タイマー手段を起動させ前記第１操作部及び第２操作部からの入力信号を無効とし、前記タイマー手段が所定時間を計時した時点で入力信号を有効とする情報端末装置構成を採っている。
【０００６】
また、本発明の情報端末装置では、第１操作部および第２操作部は平面的な形状とし、前記第１操作部と第２操作部が同一平面上に配する構成を採っている。
【０００７】
また、本発明の情報端末装置では、演算処理部は、タイマーが所定時間に到達して、第１操作部と第２操作部からの入力信号を有効にした後、タイマーを初期化する構成を採っている。
【０００８】
また、本発明の情報端末装置では、演算処理部は、タイマーが計時中は、表示手段に第１操作部と第２操作部による入力が無効である旨のメッセージや、タイマーの計時開始からの経過時間、タイマー計時完了までの時間を数値や画像情報によって表示手段に表示す
る構成を採っている。
【０００９】
また、本発明の情報端末装置では、情報を記憶する記憶手段を有し、前記記憶手段には第１操作部と第２操作部からの入力信号を無効にするタイマー設定時間情報を記憶し、演算処理部は記憶手段からタイマー設定時間情報を読み出して、これをタイマーに設定して計時を開始する構成を採っている。
【００１０】
また、本発明の情報端末装置では、第１操作部と第２操作部からの入力信号が有効な場合には、演算処理部は第１操作部または第２操作部からの入力信号を解釈して、タイマー設定時間情報を変更して記憶手段に保存する構成を採っている。
【００１１】
また、本発明の情報端末装置では、第１操作部とは異なる復旧用スイッチを有し、演算処理部は前記復旧用スイッチからの入力信号は常に有効と判断し、第１操作部と第２操作部からの入力信号を無効と判断している間に、前記復旧用スイッチの信号の入力があった場合には、前記演算処理部はこの入力信号を解釈して、前記第１操作部と前記第２操作部からの入力信号を有効と判断するように切り替える構成を採っている。
【００１２】
また、本発明の情報端末装置では、第１操作部と第２操作部からの入力信号を無効と判断している間に、前記復旧用スイッチの信号の入力があった場合には、演算処理部はこの入力信号を解釈して、前記第１操作部と前記第２操作部からの入力信号を有効と判断するように切り替えた後に、タイマーを初期化する構成を採っている。
【発明の効果】
【００１３】
以上説明したように本発明では、情報端末装置の操作ボタンとタッチパネルを所定時間無効状態にすることによって、情報端末装置の電源を入れたまま、第１操作部と第２操作部の汚れを同時に拭き取ることができる。
【発明を実施するための最良の形態】
【００１４】
以下、図面を参照しながら発明の実施の形態を説明する。
【００１５】
図１は本発明の情報端末装置の構成図、図２は情報端末装置の外観の例を示した第一の構成図、図３は情報端末装置の外観の例を示した第二の構成図、図４は掃除モード時間設定の画面表示の例を示した図、図５は演算処理部の処理シーケンスの説明図、図６（ａ）は掃除モード中の画面表示の例１を示した図、（ｂ）は掃除モード中の画面表示の例２を示した図、図７は情報端末装置と外部制御機器を接続した全体構成図である。
【００１６】
情報端末装置１は、表示手段２、第２操作部３、演算処理部４、第１操作部５ａ、５ｂ、５ｃ、復旧用スイッチ６、タイマー手段７、記憶手段８、通信インタフェース９から構成される。
【００１７】
表示手段２は、前面パネルの略中央部に配置され演算処理部４からの指令に基づいて、情報端末装置１の操作用、設定用の画面スイッチの画像や、状態の表示を行う。第２操作部３は、表示手段２の上に配置された透明のタッチパネルシートで、表示手段２に表示される操作用、設定用のスイッチ画像に対応して配置された静電スイッチ等の接触式スイッチで構成され、利用者が第２操作部３を押下した２次元位置情報は、入力信号３０として演算処理部４に入力され、演算処理部４では、表示手段２に表示している位置情報と、前記第２操作部３からの入力信号の位置情報から利用者が行った操作内容を判断し、これに基づいた処理を行う。
【００１８】
第１操作部は５ａ、５ｂ、５ｃの３つのスイッチからなり、前面パネル上の表示手段２
と同一面に配置され、表示手段２のタッチパネルで構成された第２操作部３とは異なる動作を選択、指示するスイッチで、特に、利用者が日常頻繁に使用する動作の指示用として配置した操作スイッチである。これらの入力信号は、各々入力信号５０ａ、５０ｂ、５０ｃとして演算処理部４に入力される。利用者が第１操作部５ａ、５ｂ、５ｃを操作すると、演算処理部４では、前記第１操作部からの入力信号５０ａ、５０ｂ、５０ｃから利用者が行った操作内容を判断し、これに基づいた処理を行う。
【００１９】
なお、本発明の実施の形態では、上記のように第１操作部は３つのスイッチから構成されているが、これは一例であり、操作スイッチの個数に制約はない。
【００２０】
第１操作部５ａ、５ｂ、５ｃとして静電スイッチなどを採用した場合には、タッチパネル同様に軽く触れるだけでも反応するので、操作スイッチに付着した汚れを拭き取る際（以下「掃除モード」と記す）には、タッチパネル同様に操作スイッチに接触しても感応しないような処置を施す必要がある。
【００２１】
本発明の実施の形態においては、図２に示すように、タッチパネルで構成した第２操作部３と前面パネルに配置し操作スイッチとしての第１操作部５ａ、５ｂ、５ｃは同一平面上に配置し、復旧用スイッチ６は、第２操作部３および第１操作部５ａ、５ｂ、５ｃとは同一平面内にならないような位置に配置している。これにより、第２操作部と第１操作部が配置された前面パネルの全面を同時に掃除しやすいようにすると同時に、掃除中に誤って復旧用スイッチを押下することがないようにしている。
【００２２】
なお、図３に示すように、第２操作部３と第１操作部５ａ、５ｂ、５ｃが同一平面上になく、多少の段差があるような場合には、これらが同一平面上にある場合と比較して掃除のしやすさという点では多少劣るが、両者の汚れを同時に拭き取ることができるという効果についてはほとんど変わりない。
【００２３】
ここで、掃除モードを選択する場合は、図１に示すタッチパネルで構成した第２操作部３の掃除モード選択手段４１に接触することで、この操作信号が演算処理部４に入力され、この時点から予め設定された初期設定時間の間だけ演算処理部４への入力信号の受付を禁止するモード、すなわち前記の掃除モードに設定することができる。
【００２４】
そして、掃除モードの実行時間を変更したい場合は、メニュー画面設定手段４０に接触すると、複数のメニューを表示した画面に切り替わり、このメニューの中から掃除モード実行時間設定モードを選択すると、図４に示すように、演算処理部４は表示手段２に掃除モードの実行時間を設定する画面スイッチの画像情報３０ａ、３０ｂ、３０ｃを表示し、その上に配された第２操作部３を利用者が押下することにより、第２操作部３からの入力信号３０を解釈して、演算処理部４は利用者の設定に応じた掃除モードの実行時間を記憶手段８に記憶し、以降、掃除モードが選択された場合はこの時間を実行時間として演算処理部４への入力信号の受付を禁止するモードとして作用する。
【００２５】
なお、本実施の形態ではタッチパネルで構成した第２操作部３を用いて掃除モード選択手段４１を構成したが、これに限定されるものではなく、第１操作部５ａ、５ｂ、５ｃを用いて、多重操作あるいは長押し操作等容易にモード切替ができないような構成を採用することで、同様の設定を行うこともできる。
【００２６】
図５は、情報端末装置１の演算処理部４が、第２操作部３からの入力情報に応じて行う処理シーケンスを示している。ステップＳ１は、第２操作部３からの掃除モード選択手段４１の入力信号があるかどうかの判定を行っている。画面キー入力がないと判断した場合には、再度ステップＳ１に戻り、画面キー入力があると判定した場合には、次のステップ
Ｓ２に遷移する。
【００２７】
ステップＳ２では、第２操作部３からの入力信号３０の情報を判断し、入力信号の情報が、掃除モード選択手段４１が入力されたと判断した場合には、ステップＳ３へ遷移し、掃除モードへの切り替え要求でないと判断した場合には、ステップＳ９へ遷移する。
【００２８】
ステップＳ９では、入力信号の情報に従い、それに応じた処理を実行し、再びステップＳ１へ戻る。ステップＳ３では、記憶手段８に記憶されたタイマー設定値を読み込む。このとき、前もってメニュー画面設定手段４０により掃除モード実行時間設定モードが選択され、任意の実行時間が設定された場合は、その時間を読み込み、実行時間が設定されなかった場合は、予め設定した初期設定時間を読み込んでタイマー設定値とする。次のステップＳ４では読み込んだ設定値でタイマー手段７を設定して起動し、次のステップＳ５で、演算処理部４への入力信号の受付を禁止するモードに設定し、前面パネルに配置し操作スイッチとして作用する第１操作部５ａ、５ｂ、５ｃ及びタッチパネルで構成した第２操作部３からの入力信号５０ａ、５０ｂ、５０ｃ、３０を無効にする処理を行い、さらに次のステップＳ６で、表示手段２に第１操作部５ａ、５ｂ、５ｃと第２操作部３の操作が無効であるメッセージを表示する。
【００２９】
ここで、図６ａ、図６ｂはステップＳ６において表示手段２に表示する内容の一例を示す。図６ａは、掃除モード中である旨と、掃除モードのトータル時間と、掃除モードに遷移してからの経過時間を数値と画像情報で表示している。また、図６ｂは、掃除モード中である旨と、掃除モードのトータル時間と、掃除モード完了までの残り時間を数値と画像情報で表示している。
【００３０】
ステップＳ４におけるタイマー手段７が起動後のステップＳ５、ステップＳ６以降は、ステップＳ７におけるタイマー完了入力があるかどうかの判定処理と、ステップＳ８における復旧用スイッチ６からの入力信号があるかどうかの判定処理を行う。
【００３１】
演算処理部４は、ステップＳ７でタイマー手段７からの完了入力があると判定した場合にはステップＳ１０へ遷移し、タイマー手段７からの入力信号がないと判断した場合には、ステップＳ８へ遷移する。ステップＳ８では、復旧用スイッチ６からの入力信号があると判断した場合にはステップＳ１０へ遷移し、復旧用スイッチ６からの入力信号がないと判断した場合には、再びステップＳ７へ戻る。ここで、復旧用スイッチ６は、掃除モード選択手段４１に優先して通常モードに復帰させるためのスイッチで、掃除モードが選択されてスイッチの入力受付禁止状態にあっても受付可能とし、この復旧用スイッチ６の操作でタイマー設定時間が経過するまでに掃除モードを解除することができる。
【００３２】
ステップＳ１０では、ステップＳ５で実施した第１操作部５ａ、５ｂ、５ｃと第２操作部３からの入力信号５０ａ、５０ｂ、５０ｃ、３０を無効にする処理を解除し、ステップＳ１１では、ステップ６で表示手段２に表示した第１操作部部５ａ、５ｂ、５ｃと第２操作部３が無効であるメッセージを消去し、さらにステップＳ１２では、タイマー手段７を初期化する。
【００３３】
上記のような処理シーケンスにより、情報端末装置１は、利用者が第２操作部３の掃除モード選択手段４１を選択した場合に、記憶手段８に記憶されたタイマー時間だけ第２操作部３と第１操作部５ａ、５ｂ、５ｃからの入力信号を無効とする掃除モードに遷移し、その間に利用者が第２操作部３と第１操作部５ａ、５ｂ、５ｃを拭き取ることができるようにすると同時に、図６ａまたは図６ｂのように掃除モード中であり通常使用ができない旨を表示手段２に表示する。
【００３４】
掃除モードの設定時間を変更したい場合は、第２操作部３のメニュー画面設定手段４０より、掃除モード時間設定を行い、記憶手段へのタイマー時間設定を変更することができる。このとき、図４に示す掃除モードの実行時間を設定する画面スイッチの画像情報だけでなく、利用者が自由に設定時間を入力できるようにしてもよい。
【００３５】
掃除モードに遷移後は、記憶手段８に記憶されたタイマー時間の経過あるいは、復旧用スイッチ６の押下により、掃除モードから通常モードに復旧することができる。
【００３６】
図７に示すように、図１の演算処理部４に接続された通信インタフェース９には通信線２１によって外部制御機器２０と接続されている。演算処理部４は、通信インタフェース９を介して、利用者が第２操作部３および第１操作部５ａ、５ｂ、５ｃを操作した情報に基づいて、通信インタフェース９を介して、通信線２１経由で外部制御機器２０に指令を送信する構成をとることにより、本発明は、遠隔で外部制御機器２０を操作するリモコンとしての情報端末装置にも適用可能である。
【産業上の利用可能性】
【００３７】
本発明は、表示手段と入力手段としての第２操作部および第１操作部を備えた情報端末装置に関するものであり、通信線を介して外部制御機器に接続することにより、外部制御機器を遠隔制御したり外部制御機器の運転状態を遠隔モニタリングする、いわゆるリモコン装置にも適用することができる。
【図面の簡単な説明】
【００３８】
【図１】本発明の情報端末装置の説明図
【図２】情報端末装置の外観の例を示した第一の構成図
【図３】情報端末装置の外観の例を示した第二の構成図
【図４】掃除モード時間設定の画面表示の例を示した図
【図５】演算処理部の処理シーケンスの説明図
【図６】（ａ）掃除モード中の画面表示の例１を示した図（ｂ）掃除モード中の画面表示の例２を示した図
【図７】情報端末装置と外部制御機器を接続した全体構成図
【符号の説明】
【００３９】
１  情報端末装置
２  表示手段
３  タッチパネル
４  演算処理部
５ａ、５ｂ、５ｃ  操作スイッチ
６  復旧用スイッチ
７  タイマー
８  記憶手段
９  通信インタフェース
２０  外部制御機器
２１  通信線
３０ａ、３０ｂ、３０ｃ  画像情報
４１  掃除モード選択手段
【図１】
2007200095.tif 000003
【図２】
2007200095.tif 000004
【図３】
2007200095.tif 000005
【図４】
2007200095.tif 000006
【図５】
2007200095.tif 000007
【図６】
2007200095.tif 000008
【図７】
2007200095.tif 000009